(57)【要約】【課題】  手間をかけることなく容易に、コードに対応付けられている画像形成対象の電子ファイルを編集できるようにする。【解決手段】  携帯端末装置２の制御部１０は、画像ファイルを送信してサーバー装置４に記憶させるとともに、画像ファイルのＵＲＬを示す二次元コード８２Ｃを生成して表示部１１に表示させる。画像形成装置３の制御部３０は、表示部１１に表示されている二次元コード８２Ｃを画像読取部３１に読取らせ、二次元コード８２Ｃによって示されているＵＲＬによって特定されている画像ファイルをサーバー装置４から受信し、受信された画像ファイルに基づく画像１２２を、画像形成部３２に形成させる。制御部１０は、画像ファイルが編集されると、編集された画像ファイルをサーバー装置４に送信して、ＵＲＬによって特定されている画像ファイルを、編集された画像ファイルに置換える。【選択図】図４
2020198530.tif 000002
【特許請求の範囲】
【請求項１】
携帯端末装置と、画像形成装置と、を含む画像形成システムであって、
前記携帯端末装置は、
電子ファイルを記憶する記憶部と、
ネットワークを介して接続されているサーバー装置と通信を行なう第１通信部と、
表示部と、
前記第１通信部を介して、前記記憶部に記憶されている前記電子ファイルを送信して前記サーバー装置に記憶させるとともに、前記電子ファイルの前記ネットワークにおける保存先を示すコードを生成して前記表示部に表示させる第１制御部と、を備え、
前記画像形成装置は、
前記ネットワークを介して接続されている前記サーバー装置と通信を行なう第２通信部と、
画像を読取る画像読取部と、
記録媒体に画像を形成する画像形成部と、
前記表示部に表示されている前記コードを前記画像読取部に読取らせ、読取られた前記コードによって示されている前記保存先に記憶されている前記電子ファイルを、前記第２通信部を介して前記サーバー装置から受信し、受信された前記電子ファイルに基づく画像を前記画像形成部に形成させる第２制御部と、を備え、
前記携帯端末装置の前記第１制御部は、前記記憶部に記憶されている前記電子ファイルが編集されると、前記第１通信部を介して、編集された前記電子ファイルを前記サーバー装置に送信するとともに、前記コードによって示されている前記保存先に記憶されている前記電子ファイルを、編集された前記電子ファイルに置換える、画像形成システム。
【請求項２】
前記携帯端末装置の前記第１制御部は、前記コードを、送信された前記電子ファイルに関連付けて前記記憶部に記憶させておき、
前記表示部に、前記コードと、前記コードに関連付けられている前記電子ファイルの内容を示す画像とを、対応付けて表示させる、請求項１に記載の画像形成システム。
【請求項３】
前記携帯端末装置は、情報を入力するための第１入力部をさらに備えており、
前記画像形成装置は、情報を入力するための第２入力部をさらに備えており、
前記携帯端末装置の前記第１制御部は、前記第１入力部を介して第１認証情報を受付けると、前記保存先とともに、前記第１認証情報を更に示すように前記コードを生成し、
前記画像形成装置の前記第２制御部は、前記第２入力部を介して第２認証情報を受付けると、前記画像読取部によって読取られた前記コードによって示されている前記第１認証情報と、受付けた前記第２認証情報とが一致するか否かを判定し、前記第１認証情報と前記第２認証情報とが一致する場合に、前記第２通信部を介した前記電子ファイルの受信を実行し、前記第１認証情報と前記第２認証情報とが一致しない場合に、前記第２通信部を介した前記電子ファイルの受信を実行しない、請求項１又は請求項２に記載の画像形成システム。
【請求項４】
前記携帯端末装置は、情報を入力するための第１入力部をさらに備えており、
前記第１制御部は、前記第１入力部を介して前記コードを削除するための指示を受付けると、前記コードを削除するとともに、前記第１通信部を介して、前記サーバー装置に、前記コードによって示されている前記保存先に記憶されている前記電子ファイルを削除させる、請求項１乃至請求項３のいずれかに記載の画像形成システム。
【請求項５】
前記携帯端末装置の前記第１制御部は、前記電子ファイルを前記サーバー装置に記憶させた時点からの経過時間が予め定められている時間に達したときに、前記第１通信部を介して、前記サーバー装置に、前記コードによって示されている前記保存先に記憶されている前記電子ファイルを削除させる、請求項１乃至請求項３のいずれかに記載の画像形成システム。
【請求項６】
前記第１制御部は、前記画像形成部による画像形成の回数が、予め定められている回数に達したときに、前記第１通信部を介して、前記サーバー装置に、前記コードによって示されている保存先に記憶されている前記電子ファイルを削除させる、請求項１乃至請求項３のいずれかに記載の画像形成システム。
【発明の詳細な説明】
【技術分野】
【０００１】
本発明は、画像形成システムに関し、特に、サーバー装置に記憶されている電子ファイルを取得して画像形成を行なう技術に関する。
【背景技術】
【０００２】
二次元コードによって示されている情報に基づいて、サーバー装置に記憶されている画像形成対象の電子ファイルを取得して印刷する技術が知られている。
【０００３】
例えば、特許文献１には、サーバー装置に記憶されている文書ファイルの指定を受付け、指定された文書ファイルのＵＲＬを示す二次元コードを生成して表示する携帯端末装置と、二次元コードを読取り、読取られた二次元コードによって示されるＵＲＬ(Uniform Resource Locater)にアクセスして、指定された文書ファイルをサーバー装置から取得して印刷する画像形成装置と、を含む画像形成システムが開示されている。
【０００４】
特許文献２には、原稿データと識別データとを関連付けて記憶している文書管理用のサーバー装置と、原稿に印刷されている二次元コードを読取り、二次元コードによって示されている識別データに関連付けられて記憶されている原稿データをサーバー装置から取得して、取得された原稿データに基づいて原稿の複写を行なう画像形成装置と、を含む画像形成システムが開示されている。
【先行技術文献】
【特許文献】
【０００５】
【特許文献１】特開２０１８−１５３４号公報
【特許文献２】特開２００８−２６３４６９号公報
【発明の概要】
【発明が解決しようとする課題】
【０００６】
特許文献１及び特許文献２に開示されている画像形成システムにおいて、画像形成対象の文書ファイル又は原稿データを編集する場合、ユーザーは、サーバー装置に記憶されている文書ファイル又は原稿データを取得して編集し、編集された文書ファイル又は原稿データをサーバー装置に記憶させるとともに、編集された文書ファイル又は原稿データを特定するための情報を示す二次元コードを生成する必要があり、手間がかかる。
【０００７】
本発明は、上記の事情に鑑みなされたものであり、携帯端末装置に保存されている電子ファイルを、当該電子ファイルに対応付けられているコードを用いて画像形成装置で画像形成する場合に、手間をかけることなく容易に、上記コードに対応付けられている画像形成対象の電子ファイルを編集できるようにすることを目的とする。
【課題を解決するための手段】
【０００８】
本発明の一局面に係る画像形成システムは、携帯端末装置と、画像形成装置と、を含む。携帯端末装置は、電子ファイルを記憶する記憶部と、ネットワークを介して接続されているサーバー装置と通信を行なう第１通信部と、表示部と、第１通信部を介して、記憶部に記憶されている電子ファイルを送信してサーバー装置に記憶させるとともに、電子ファイルのネットワークにおける保存先を示すコードを生成して表示部に表示させる第１制御部と、を備える。画像形成装置は、ネットワークを介して接続されているサーバー装置と通信を行なう第２通信部と、画像を読取る画像読取部と、記録媒体に画像を形成する画像形成部と、表示部に表示されているコードを画像読取部に読取らせ、読取られたコードによって示されている保存先に記憶されている電子ファイルを、第２通信部を介してサーバー装置から受信し、受信された電子ファイルに基づく画像を画像形成部に形成させる第２制御部と、を備える。第１制御部は、記憶部に記憶されている電子ファイルが編集されると、第１通信部を介して、編集された電子ファイルをサーバー装置に送信して、コードによって示されている保存先に記憶されている電子ファイルを、編集された電子ファイルに置換える。
【発明の効果】
【０００９】
本発明によれば、記憶部に記憶されている電子ファイルが編集されると、コードによって示されている保存先に記憶されている電子ファイルが、編集された電子ファイルに置換えられる。したがって、画像形成対象の電子ファイルを編集する際に、編集された電子ファイルをサーバー装置に記憶させるとともに、編集された電子ファイルの保存先を示すコードを生成するという手間を省くことができる。これによって、ユーザーは、手間をかけることなく容易に、上記コードに対応付けられている画像形成対象の電子ファイルを編集できるようになる。
【図面の簡単な説明】
【００１０】
【図１】本発明の一実施形態に係る画像形成システムの構成を示す図である。
【図２】本発明の一実施形態に係る携帯端末装置の構成を示すブロック図である。
【図３】本発明の一実施形態に係る画像形成装置の構成を示すブロック図である。
【図４】画像ファイル登録処理を示すフローチャートである。
【図５】第１画面の一例を示す図である。
【図６】第２画面の一例を示す図である。
【図７】第１入力画面の一例を示す図である。
【図８】第３画面の一例を示す図である。
【図９】第４画面の一例を示す図である。
【図１０】画像ファイル取得処理を示すフローチャートである。
【図１１】第２入力画面の一例を示す図である。
【図１２】プレビュー画面の一例を示す図である。
【発明を実施するための形態】
【００１１】
以下、本発明の一実施形態に係る画像形成システムについて図面を参照して説明する。図１は、本発明の一実施形態に係る画像形成システムの構成を示す図である。図１を参照して、画像形成システム１は、携帯端末装置２と、画像形成装置３とを含む。画像形成装置３は、例えば、コンビニエンスストアに設置されている。画像形成システム１は、携帯端末装置２に記憶されている画像ファイルをサーバー装置４に予め記憶させておき、サーバー装置４に記憶されている上記画像ファイルに基づく画像を画像形成装置３によって記録紙に形成させるネットプリント機能を実現可能に構成されている。
【００１２】
［携帯端末装置２の構成］
図２は、携帯端末装置２の構成を示すブロック図である。図２を参照して、携帯端末装置２は、例えば、スマートフォンである。携帯端末装置２は、制御ユニット２０と、表示部１１と、タッチパネル１２と、記憶部１３と、通信部１４と、撮像部１６と、電話通信部１７と、音声入力部１８と、音声出力部１９と、を含んでいる。
【００１３】
制御ユニット２０は、プロセッサー、及びＲＡＭ(Random Access Memory）等を含んでいる。プロセッサーは、例えば、ＣＰＵ（Central Processing Unit）、ＭＰＵ（Micro Processing Unit）、又はＡＳＩＣ（Application Specific Integrated Circuit）等である。制御ユニット２０は、特許請求の範囲における第１制御部の一例である。
【００１４】
制御ユニット２０は、記憶部１３に記憶されている制御プログラムが上記のプロセッサーによって実行されることにより、制御部１０として機能する。なお、制御部１０は、制御プログラムに基づく動作によらず、ハード回路によって動作可能に構成されていてもよい。
【００１５】
制御ユニット２０は、表示部１１、タッチパネル１２、記憶部１３、通信部１４、撮像部１６、電話通信部１７、音声入力部１８、及び、音声出力部１９等と電気的に接続されている。
【００１６】
表示部１１は、液晶ディスプレイ又は有機ＥＬ（Organic Light-Emitting Diode）ディスプレイ等によって構成されている表示装置である。表示部１１は、携帯端末装置２によって実行可能な各種機能に関する各種の画面を表示する。
【００１７】
タッチパネル１２は、表示部１１に重ねて配置されている。タッチパネル１２は、ユーザーの指によるタッチ操作を、当該タッチ操作の位置とともに検知する。ユーザーは、タッチパネル１２を介して、携帯端末装置２によって実行可能な各種機能についての指示等の各種の情報を入力する。タッチパネル１２は、特許請求の範囲における第１入力部の一例である。
【００１８】
記憶部１３は、フラッシュメモリー等の記憶装置である。記憶部１３は、携帯端末装置２の一般的な動作を実現するための各種制御プログラムを記憶している。記憶部１３は、上記の各種制御プログラムの１つとして、本実施形態に係る画像ファイル登録処理を実行するための制御プログラムを記憶している。
【００１９】
記憶部１３は、一般的に使用されているサムネイル画像生成プログラムを記憶している。制御部１０は、サムネイル画像生成プログラムに従って動作することによって、画像ファイルの内容を示すサムネイル画像を生成する。
【００２０】
記憶部１３は、一般的に使用されている二次元コード生成プログラムを記憶している。制御部１０は、二次元コード生成プログラムに従って動作することによって、二次元コードを生成する。二次元コードとしては、一般的に使用されているものであれば特に限定されないが、例えば、ＱＲ(Quick Response)コード（登録商標）である。
【００２１】
記憶部１３は、複数の画像ファイルを記憶している。画像ファイルは、特に限定されないが、例えば、ＪＰＥＧ(Joint Photographic Experts Group)形式、又は、ＧＩＦ(Graphics Interchange Format)形式等の一般的な画像ファイルである。画像ファイルは、特許請求の範囲における電子ファイルの一例である。
【００２２】
通信部１４は、ＬＡＮ(Local Area Network)ボード等の通信モジュールを含んでいる。携帯端末装置２は、通信部１４を介して、ネットワークを介して接続されているサーバー装置４等とのデータ通信を行なう。通信部１４は、特許請求の範囲における第１通信部の一例である。
【００２３】
撮像部１６は、撮像素子及びレンズ等によって構成されるデジタルカメラである。
【００２４】
電話通信部１７は、公衆回線への接続を行ない、公衆回線を介して音声データの送受信を行なう。
【００２５】
音声入力部１８は、マイクロフォン、及び、アナログ／デジタル変換回路等を含んでいる。
【００２６】
音声出力部１９は、デジタル／アナログ変換回路、スピーカー、及びアンプ等を含んでいる。
【００２７】
携帯端末装置２の各部には電源が接続されており、この電源から電力が供給されることによって、携帯端末装置２の各部が動作する。
【００２８】
［画像形成装置３の構成］
図３は、画像形成装置３の構成を示すブロック図である。画像形成装置３は、ファクシミリ機能、コピー機能、プリンター機能、及びスキャナー機能等の複数の機能を兼ね備えている複合機である。
【００２９】
図３を参照して、画像形成装置３は、制御ユニット４０を備えている。制御ユニット４０は、プロセッサー、ＲＡＭ、及びＲＯＭ（Read Only Memory）等を含んでいる。プロセッサーは、例えば、ＣＰＵ、ＭＰＵ、又はＡＳＩＣ等である。制御ユニット４０は、特許請求の範囲における第２制御部の一例である。
【００３０】
制御ユニット４０は、内蔵するＲＯＭ又はＨＤＤ（Hard Disk Drive）３９に記憶されている制御プログラムが上記のプロセッサーによって実行されることにより、制御部３０として機能する。なお、制御部３０は、制御プログラムに基づく動作によらず、ハード回路によって動作可能に構成されてもよい。
【００３１】
制御ユニット４０は、画像読取部３１、画像形成部３２、定着部３３、給紙部３４、表示部３５、操作部３６、画像処理部３７、画像メモリー３８、ＨＤＤ３９、ファクシミリ通信部４１、及び通信部４２等と電気的に接続されている。
【００３２】
画像読取部３１は、原稿を搬送する原稿搬送部と、原稿搬送部によって搬送されてくる原稿の画像又はプラテンガラスに載置されている原稿の画像を光学的に読取るスキャナーと、を含むＡＤＦ（Auto Document Feeder）である。画像読取部３１は、光照射部によって原稿を照射し、その反射光をＣＣＤ（Charge-Coupled Device）センサーによって受光することで、原稿の画像を読取って画像データを生成する。
【００３３】
画像形成部３２は、感光体ドラム、帯電装置、露光装置、現像装置、及び転写装置を含んでいる。画像形成部３２は、画像読取部３１によって生成された画像データ等に基づいて、給紙部３４から供給されてくる記録紙にトナー像によって構成されている画像を形成する。
【００３４】
定着部３３は、画像形成部３２によって表面にトナー像が形成された記録紙を加熱及び加圧することでトナー像を記録紙に定着させる。定着部３３によってトナー像が定着された記録紙は排紙トレイに排出される。
【００３５】
給紙部３４は、用紙カセットに収容されている記録紙、又は手差しトレイに載置されている記録紙をピックアップローラーによって１枚ずつ引出して画像形成部３２へと送り出す。
【００３６】
表示部３５は、液晶ディスプレイ又は有機ＥＬ等によって構成されている表示装置である。表示部３５は、画像形成装置３によって実行可能な各種機能に関する各種の画面を表示する。
【００３７】
操作部３６は、表示部３５に重ねて配置されているタッチパネル３６Ａを含んでいる。操作部３６はまた、各種機能の実行の開始を指示するためのスタートキー３６Ｂ等の複数のハードキーを含んでいる。ユーザーは、操作部３６を介して、画像形成装置３によって実行可能な各種機能についての指示等の各種の情報を入力する。操作部３６は、特許請求の範囲における第２入力部の一例である。
【００３８】
画像処理部３７は、画像読取部３１によって生成された画像データに対して、必要に応じて画像処理を実行する。
【００３９】
画像メモリー３８は、画像読取部３１によって生成された画像形成対象の画像データを一時的に記憶する領域を含む。
【００４０】
ＨＤＤ３９は、画像読取部３１によって生成された画像データ等の各種データを記憶する大容量の記憶装置である。ＨＤＤ３９は、画像形成装置３の一般的な動作を実現するための各種制御プログラムを記憶している。ＨＤＤ３９は、各種制御プログラムの１つとして、本発明の一実施形態に係る画像ファイル取得処理を実行するための制御プログラムを記憶している。
【００４１】
ＨＤＤ３９は、一般的に使用される二次元コード読取りプログラムを記憶している。制御部３０は、二次元コード読取りプログラムに従って動作することによって、二次元コードを解析して、当該二次元コードによって示されている情報を取得する。
【００４２】
ファクシミリ通信部４１は、公衆回線への接続を行ない、公衆回線を介して画像データの送受信を行なう。
【００４３】
通信部４２は、ＬＡＮボード等の通信モジュールを含んでいる。画像形成装置３は、通信部４２を介して、ネットワークを介して接続されているサーバー装置４等とデータ通信を行なう。通信部４２は、特許請求の範囲における第２通信部の一例である。
【００４４】
画像形成装置３の各部には図示しない電源が接続されており、この電源から電力が供給されることによって、画像形成装置３の各部が動作する。
【００４５】
［動作］
以下、本実施形態に係る画像形成システム１の動作について、携帯端末装置２における動作と、画像形成装置３における動作と、に場合分けして説明する。
【００４６】
（１）携帯端末装置２における動作
図４は、画像ファイル登録処理を示すフローチャートである。以下、携帯端末装置２は、電源が投入されている状態であるものとする。ユーザーは、タッチパネル１２に、ネットプリント機能を実行するための指示を入力したものとする。タッチパネル１２を介して上記指示を受付けると、制御部１０は、画像ファイル登録処理の実行を開始する。
【００４７】
図４を参照して、画像ファイル登録処理において、制御部１０は、表示部１１に、実行対象の処理を選択するための第１画面を表示させる（ステップＳ１０）。図５は、第１画面の一例を示す図である。図５を参照して、第１画面５０は、実行対象の処理として、二次元コードを生成する処理を選択するためのソフトキー５２と、二次元コードを表示する処理を選択するためのソフトキー５４と、を含んでいる。第１画面５０の表示後、制御部１０は、タッチパネル１２を介して、キー５２又はキー５４に対するタッチ操作を受付けるまで待機する（ステップＳ１１にてＮＯ、ステップＳ１２にてＮＯ）。
【００４８】
（１−１）二次元コードを生成する場合
ユーザーは、第１画面５０を確認して、キー５２をタッチしたものとする。制御部１０は、タッチパネル１２を介してキー５２に対するタッチ操作を受付けることによって、二次元コードを生成するための指示を受付けると（ステップＳ１１にてＹＥＳ）、表示部１１に、登録対象の画像ファイルを指定するための第２画面を表示させる（ステップＳ１３）。
【００４９】
図６は、第２画面の一例を示す図である。図６を参照して、ステップＳ１３において、制御部１０はまず、記憶部１３に記憶されているサムネイル画像生成プログラムを用いて、記憶部１３に記憶されている複数の画像ファイルのそれぞれについてのサムネイル画像６２Ａ乃至６２Ｄを生成する。制御部１０は、生成されたサムネイル画像６２Ａ乃至６２Ｄと、画像ファイルの指定を確定するためのソフトキー６４と、を含む第２画面６０を生成して、表示部１１に表示させる。
【００５０】
第２画面６０の表示後、制御部１０は、キー６４に対するタッチ操作を受付けるまで待機する（ステップＳ１４にてＮＯ）。ユーザーは、第２画面６０を確認して、サムネイル画像６２Ｃをタッチし、次いでキー６４をタッチしたものとする。制御部１０は、タッチパネル１２を介してキー６４に対するタッチ操作を受付けることによって、登録対象の画像ファイルの指定を確定するための指示を受付けると（ステップＳ１４にてＹＥＳ）、表示部１１に、登録対象の画像ファイルの編集を行なうための編集画面を表示させる（ステップＳ１５）。
【００５１】
この場合、タッチされたサムネイル画像６２Ｃに対応する画像ファイルが、登録対象の画像ファイルとして指定されている。編集画面の表示後、制御部１０は、編集内容を確定するための指示を受付けるまで当該編集画面の表示を続ける（ステップＳ１６にてＮＯ）。
【００５２】
ユーザーは、編集画面を確認して、タッチパネル１２を介して、指定された画像ファイルについて、例えば、色の変更、又は、拡大若しくは縮小等の加工を行なうための指示を入力する。制御部１０は、タッチパネル１２を介して上記指示を受付けると、受付けた指示にしたがって、記憶部１３に記憶されている、指定された画像ファイルの編集を実行する。画像ファイルの編集後、ユーザーは、タッチパネル１２を介して、編集内容を確定するための指示を入力したものとする。
【００５３】
制御部１０は、タッチパネル１２を介して上記編集内容を確定するための指示を受付けると（ステップＳ１６にてＹＥＳ）、編集された画像ファイルを記憶部１３から読出し、通信部１４を介して、編集された画像ファイルと、画像ファイルの登録を要求する指示と、画像ファイルのネットワークにおける保存先を示すＵＲＬの送信を要求する指示とを、サーバー装置４に送信する（ステップＳ１７）。
【００５４】
画像ファイル等の送信後、制御部１０は、通信部１４を介して、画像ファイルのＵＲＬを受信するまで待機する（ステップＳ１８にてＮＯ）。サーバー装置４の制御部は、サーバー装置４の通信部を介して画像ファイル等を受信すると、受信された画像ファイルをサーバー装置４の記憶部に記憶させる。サーバー装置４の制御部は、画像ファイルの保存先を示すＵＲＬを、サーバー装置４の通信部を介して携帯端末装置２に送信する。なお、上記ＵＲＬは、ディレクトリー名等の保存された画像ファイルの所在を示す情報とともに、ファイル名等の保存された画像ファイルを特定するための情報を含んでいるものとする。
【００５５】
制御部１０は、通信部１４を介して、サーバー装置４から送信されてくるＵＲＬを受信すると（ステップＳ１８にてＹＥＳ）、表示部１１に、第１認証情報を入力するための第１入力画面を表示させる（ステップＳ１９）。図７は、第１入力画面の一例を示す図である。図７を参照して、第１入力画面７０は、第１認証情報として入力されたＩＤ(Identification)を表示するための欄７２と、第１認証情報として入力されたパスワードを表示するための欄７４と、入力された第１認証情報を確定するためのソフトキー７６とを含んでいる。
【００５６】
第１入力画面７０の表示後、制御部１０は、タッチパネル１２を介して、キー７６に対するタッチ操作を受付けるまで待機する（ステップＳ２０にてＮＯ）。ユーザーは、第１入力画面７０を確認して、タッチパネル１２に、ＩＤとして「ABCDEF」という文字列を入力するとともに、パスワードとして「123456」という文字列を入力したものとする。制御部１０は、タッチパネル１２を介して上記の入力を受付けると、表示部１１に、受付けたＩＤを欄７２に表示させるとともに、受付けたパスワードを欄７４に表示させる。
【００５７】
ユーザーは、欄７２及び欄７４に表示されている第１認証情報を確認して、キー７６をタッチしたものとする。制御部１０は、タッチパネル１２を介してキー７６に対するタッチ操作を受付けることによって、第１認証情報を確定するための指示を受付けると（ステップＳ２０にてＹＥＳ）、記憶部１３に記憶されている二次元コード生成プログラムを用いて、ステップＳ１８において取得されたＵＲＬと、受付けた第１認証情報とを示す二次元コードを生成する（ステップＳ２１）。
【００５８】
二次元コードの生成後、制御部１０は、生成された二次元コードと、ステップＳ１８において取得されたＵＲＬと、ステップＳ１７においてサーバー装置４に送信された画像ファイル（この場合、サムネイル画像６２Ｃに対応する画像ファイル）に関連付けて、記憶部１３に記憶させる（ステップＳ２２）。二次元コード及びＵＲＬの記憶後、制御部１０は、画像ファイル登録処理を終了する。
【００５９】
（１−２）二次元コードを表示させる場合
ユーザーは、第１画面５０を確認して、キー５４をタッチしたものとする。制御部１０は、タッチパネル１２を介してキー５４に対するタッチ操作を受付けることによって、二次元コードを表示するための指示を受付けると（ステップＳ１２にてＹＥＳ）、表示部１１に、画像形成装置３による読取対象となる二次元コードを指定するための第３画面を表示させる（ステップＳ２３）。
【００６０】
図８は、第３画面の一例を示す図である。ここで、制御部１０は、サムネイル画像６２Ａ及びサムネイル画像６２Ｂのそれぞれに対応する画像ファイルについても、上記したステップＳ１４乃至ステップＳ２２の処理を既に実行しているものとする。図８を参照して、ステップＳ２３において、制御部１０はまず、記憶部１３に記憶されている全ての二次元コード８２Ａ乃至８２Ｃを読出す。制御部１０は次いで、記憶部１３に記憶されているサムネイル画像生成プログラムを用いて、読出された二次元コード８２Ａ乃至８２Ｃのそれぞれに関連付けられて記憶部１３に記憶されている画像ファイルのそれぞれについてのサムネイル画像６２Ａ乃至６２Ｃを生成する。
【００６１】
制御部１０は、読出された二次元コード８２Ａ乃至８２Ｃのそれぞれと、生成されたサムネイル画像６２Ａ乃至６２Ｃのそれぞれとがこの順に対応付けられて配置されている第３画面８０を生成して、表示部１１に表示させる。図８に示すように、第３画面８０は、二次元コード８２Ａ及びサムネイル画像６２Ａが対応付けられて配置されている領域８４Ａと、二次元コード８２Ｂ及びサムネイル画像６２Ｂが対応付けられて配置されている領域８４Ｂと、二次元コード８２Ｃ及びサムネイル画像６２Ｃが対応付けられて配置されている領域８４Ｃと、を含んでいる。
【００６２】
第３画面８０の表示後、制御部１０は、タッチパネル１２を介して、領域８４Ａ乃至領域８４Ｃのうちのいずれかに対するタッチ操作を受付けるまで待機する（ステップＳ２４にてＮＯ）。ユーザーは、第３画面８０を確認して、領域８４Ｃをタッチしたものとする。制御部１０は、タッチパネル１２を介して領域８４Ｃに対するタッチ操作を受付けることによって、読取対象の二次元コードを指定するための指示を受付けると（ステップＳ２４にてＹＥＳ）、表示部１１に、指定された二次元コードを表示するための第４画面９０を表示させる（ステップＳ２５）。
【００６３】
図９は、第４画面の一例を示す図である。図９を参照して、ステップＳ２５において、制御部１０は、タッチされた領域８４Ｃに含まれている二次元コード８２Ｃ及びサムネイル画像６２Ｃと、画像形成対象の画像ファイルを編集するためのソフトキー９２と、二次元コードを削除するためのソフトキー９４と、を含んでいる第４画面９０を生成して、表示部１１に表示させる。第４画面９０においても、二次元コード８２Ｃ及びサムネイル画像６２Ｃは、対応付けられて配置されている。第４画面９０の表示後、制御部１０は、キー９２又はキー９４に対するタッチ操作を受付けるまで待機する（ステップＳ２６にてＮＯ、ステップＳ２７にてＮＯ）。
【００６４】
（１−２−１）画像ファイルを編集する場合
ユーザーは、第４画面９０を確認して、キー９２をタッチしたものとする。制御部１０は、タッチパネル１２を介してキー９２に対するタッチ操作を受付けることによって、画像形成対象の画像ファイルを編集するための指示を受付けると（ステップＳ２６にてＹＥＳ）、表示部１１に、画像形成対象の画像ファイルの編集を行なうための編集画面を表示させる（ステップＳ２８）。この場合、二次元コード８２Ｃに関連付けられて記憶部１３に記憶されている画像ファイルが、画像形成対象の画像ファイルとして指定されている。編集画面の表示後、制御部１０は、編集内容を確定するための指示を受付けるまで当該編集画面の表示を続ける（ステップＳ２９にてＮＯ）。
【００６５】
ユーザーは、編集画面を確認して、タッチパネル１２を介して、指定された画像ファイルについて、例えば、色の変更、又は、拡大若しくは縮小等の加工を行なうための指示を入力する。制御部１０は、タッチパネル１２を介して上記指示を受付けると、受付けた指示にしたがって、記憶部１３に記憶されている、画像形成対象の画像ファイルの編集を実行する。画像ファイルの編集後、ユーザーは、タッチパネル１２を介して、編集内容を確定するための指示を入力したものとする。
【００６６】
制御部１０は、タッチパネル１２を介して上記指示を受付けると（ステップＳ２９にてＹＥＳ）、編集された画像ファイルを記憶部１３から読出し、通信部１４を介して、編集された画像ファイルと、画像ファイルの置換を要求する指示と、当該画像ファイルに対応付けて記憶部１３に記憶されているＵＲＬと、を、通信部１４を介して、サーバー装置４に送信する（ステップＳ３０）。置換要求等の送信後、制御部１０は、画像ファイル登録処理を終了する。サーバー装置４は、置換要求等を受信すると、受信されたＵＲＬによって特定されている画像ファイルを、受信された画像ファイル、すなわち編集された画像ファイルに置換える。
【００６７】
（１−２−２）二次元コードを削除する場合
ユーザーは、第４画面９０を確認して、キー９４をタッチしたものとする。制御部１０は、タッチパネル１２を介してキー９４に対するタッチ操作を受付けることによって、二次元コードを削除するための指示を受付けると（ステップＳ２７にてＹＥＳ）、二次元コード８２Ｃに関連付けられて記憶部１３に記憶されているＵＲＬと、画像ファイルの削除を要求する指示とを、通信部１４を介して、サーバー装置４に送信する（ステップＳ３１）。
【００６８】
サーバー装置４の制御部１０は、サーバー装置４の通信部を介して削除要求等を受信すると、受信したＵＲＬによって特定されている画像ファイルを削除する。削除要求等の送信後、制御部１０は、二次元コード８２Ｃ及びサーバー装置４に送信されたＵＲＬを、記憶部１３から削除する（ステップＳ３２）。二次元コード８２Ｃ等の削除後、制御部１０は、画像ファイル登録処理を終了する。
【００６９】
（２）画像形成装置３における動作
図１０は、画像ファイル取得処理を示すフローチャートである。以下、画像形成装置３は、電源が投入されている状態であるものとする。また、サーバー装置４の記憶部は、二次元コード８２Ｃによって示されているＵＲＬが示す保存先に、画像ファイルを記憶しているものとする。ユーザーは、操作部３６に、ネットプリント機能を実行するための指示を入力したものとする。操作部３６を介して上記指示を受付けると、制御部３０は、画像ファイル取得処理の実行を開始する。
【００７０】
図１０を参照して、画像ファイル取得処理において、制御部３０は、二次元コードの読取りを開始するための指示を受付けるまで待機する（ステップＳ４０にてＮＯ）。ユーザーは、上記と同様にして、携帯端末装置２の制御部１０に、ステップＳ１０乃至ステップＳ１２、及び、ステップＳ２３乃至ステップＳ２５の処理を実行させることによって、表示部１１に、第４画面９０を表示させたものとする。
【００７１】
第４画面９０が表示されていると、ユーザーは、表示部１１の表示面を画像読取部３１のプラテンガラスに向けた状態で携帯端末装置２をプラテンガラスに載置して、スタートキー３６Ｂを押下したものとする。スタートキー３６Ｂの押下を検知することによって、二次元コードの読取りを開始するための指示を受付けると（ステップＳ４０にてＹＥＳ）、制御部３０は、画像読取部３１に、表示部１１に表示されている二次元コード８２Ｃを読取らせ、二次元コード８２Ｃを示す画像データを生成させる（ステップＳ４１）。
【００７２】
二次元コードの読取り後、制御部３０は、ＨＤＤ３９に記憶されている二次元コード読取りプログラムを用いて、生成された画像データから、二次元コード８２Ｃによって示されているＵＲＬ及び第１認証情報を取得する（ステップＳ４２）。ＵＲＬ及び第１認証情報の取得後、制御部３０は、表示部３５に、第２認証情報を入力するための第２入力画面を表示させる（ステップＳ４３）。
【００７３】
図１１は、第２入力画面の一例を示す図である。図１１を参照して、第２入力画面１１０は、第２認証情報として入力されたＩＤを表示するための欄１１２と、第２認証情報として入力されたパスワードを表示するための欄１１４と、入力された第２認証情報を確定するためのソフトキー１１６とを含んでいる。第２入力画面１１０の表示後、制御部３０は、タッチパネル３６Ａを介して、キー１１６に対するタッチ操作を受付けるまで待機する（ステップＳ４４にてＮＯ）。
【００７４】
ユーザーは、第２入力画面１１０を確認して、タッチパネル３６Ａに、ＩＤとして「ABCDEF」という文字列を入力するとともに、パスワードとして「123456」という文字列を入力したものとする。制御部３０は、タッチパネル３６Ａを介して上記の入力を受付けると、表示部３５に、受付けたＩＤを欄１１２に表示させるとともに、受付けたパスワードを欄１１４に表示させる。
【００７５】
ユーザーは、欄１１２及び欄１１４に表示されている第２認証情報を確認して、キー１１６をタッチしたものとする。制御部３０は、タッチパネル３６Ａを介してキー１１６に対するタッチ操作を受付けることによって、第２認証情報を確定するための指示を受付けると（ステップＳ４４にてＹＥＳ）、受付けた第２認証情報と、ステップＳ４２において取得された第１認証情報とが一致するか否かを判定する（ステップＳ４５）。
【００７６】
この場合、制御部３０は、受付けた第２認証情報と、取得された第１認証情報とが一致すると判定し（ステップＳ４５にてＹＥＳ）、ステップＳ４２において取得されたＵＲＬと、ＵＲＬによって特定される画像ファイルの送信を要求する指示とを、通信部４２を介して、サーバー装置４に送信する（ステップＳ４６）。画像ファイルの送信要求等の送信後、制御部３０は、通信部４２を介して、サーバー装置４から送信されてくる画像ファイルを受信するまで待機する（ステップＳ４７にてＮＯ）。
【００７７】
サーバー装置４の制御部は、サーバー装置４の通信部を介して画像ファイルの送信要求等を受信すると、受信されたＵＲＬによって特定されている画像ファイルを、画像形成装置３に送信する。制御部３０は、通信部４２を介して、サーバー装置４から送信されてくる画像ファイルを受信すると（ステップＳ４７にてＹＥＳ）、表示部３５に、受信された画像ファイルのプレビュー表示を行なうためのプレビュー画面を表示させる（ステップＳ４８）。
【００７８】
図１２は、プレビュー画面の一例を示す図である。図１２を参照して、ステップＳ４８において、制御部３０は、受信された画像ファイルに基づく画像１２２と、画像１２２の画像形成を実行するためのソフトキー１２４と、を含んでいるプレビュー画面１２０を生成して、表示部３５に表示させる。プレビュー画面１２０の表示後、制御部３０は、キー１２４に対するタッチ操作を受付けるまで待機する（ステップＳ４９にてＮＯ）。
【００７９】
ユーザーは、プレビュー画面１２０を確認して、キー１２４をタッチしたものとする。制御部３０は、タッチパネル３６Ａを介してキー１２４に対するタッチ操作を受付けることによって、画像形成を実行するための指示を受付けると（ステップＳ４９にてＹＥＳ）、画像形成部３２等に、受信された画像ファイルに基づく画像１２２を、記録紙に形成させる（ステップＳ５０）。
【００８０】
一方、制御部１０は、受付けた第２認証情報と、取得された第１認証情報とが一致しないと判定した場合（ステップＳ４５にてＮＯ）、ステップＳ４６乃至ステップＳ５０の処理を実行することなく、画像ファイル取得処理を終了する。
【００８１】
上記実施形態によれば、制御部１０は、通信部１４を介して、記憶部１３に記憶されている画像ファイルを送信してサーバー装置４に記憶させるとともに、画像ファイルのＵＲＬを示す二次元コード８２Ｃを生成して表示部１１に表示させる。制御部３０は、表示部１１に表示されている二次元コード８２Ｃを画像読取部３１に読取らせ、読取られた二次元コード８２Ｃによって示されているＵＲＬによって特定されている画像ファイルを、通信部４２を介してサーバー装置４から受信し、受信された画像ファイルに基づく画像１２２を、画像形成部３２に形成させる。制御部１０は、記憶部１３に記憶されている画像ファイルが編集されると、通信部１４を介して、編集された画像ファイルをサーバー装置４に送信して、上記ＵＲＬによって特定されている画像ファイルを、編集された画像ファイルに置換える。
【００８２】
このように、記憶部１３に記憶されている画像ファイルが編集されると、二次元コード８２Ｃによって示されているＵＲＬによって特定されている画像ファイルが、編集された画像ファイルに置換えられる。したがって、画像形成対象の画像ファイルを編集する際に、編集された画像ファイルをサーバー装置４に記憶させるとともに、編集された画像ファイルのＵＲＬを示す二次元コードを生成するという手間を省くことができる。これによって、ユーザーは、手間をかけることなく容易に、二次元コード８２Ｃに対応付けられている画像形成対象の画像ファイルを編集できるようになる。
【００８３】
また上記実施形態によれば、制御部１０は、二次元コード８２Ｃを、送信された画像ファイルに関連付けて記憶部１３に記憶させておき、表示部１１に、二次元コード８２Ｃと、二次元コード８２Ｃに関連付けられている画像ファイルの内容を示すサムネイル画像６２Ｃとを、対応付けて表示させる。これによって、ユーザーは、表示されている二次元コード８２Ｃが生成されている画像ファイルの内容を容易に確認することができる。
【００８４】
また上記実施形態によれば、制御部１０は、タッチパネル１２を介して第１認証情報を受付けると、画像ファイルのＵＲＬとともに、第１認証情報を更に示すように二次元コード８２Ｃを生成する。制御部３０は、タッチパネル３６Ａを介して第２認証情報を受付けると、画像読取部３１によって読取られた二次元コード８２Ｃによって示されている第１認証情報と、受付けた第２認証情報とが一致するか否かを判定し、第１認証情報と第２認証情報とが一致する場合に、通信部４２を介した上記した画像ファイルの受信を実行し、第１認証情報と第２認証情報とが一致しない場合に、通信部４２を介した上記した画像ファイルの受信を実行しない。
【００８５】
このように、第１認証情報と第２認証情報とが一致する場合にのみ上記した画像ファイルの受信が実行されるので、正当な権限なく二次元コード８２Ｃを取得した第三者によって、画像読取部３１による二次元コード８２Ｃの読取りが行なわれた場合であっても、第１認証情報と一致する第２認証情報が入力されない限りは、当該第三者によって画像ファイルが取得されてしまうことを防ぐことができる。したがって、画像ファイルの受信に際して高い安全性を確保できる。
【００８６】
また上記実施形態によれば、制御部１０は、タッチパネル１２を介して二次元コード８２Ｃを削除するための指示を受付けると、記憶部１３に記憶されている二次元コード８２Ｃ及びＵＲＬを削除するとともに、通信部１４を介して、サーバー装置４に、二次元コード８２Ｃによって示されているＵＲＬによって特定されている画像ファイルを削除させる。
【００８７】
このように、ユーザーは、タッチパネル１２に二次元コード８２Ｃを削除する指示を入力するのみで、サーバー装置４に記憶されている画像ファイルを削除することができる。したがって、ユーザーは、手間をかけることなく容易に二次元コード８２Ｃに対応付けられている画像形成対象の画像ファイルを削除できる。
（その他の変形例）
上記実施形態では、制御部１０は、キー９４に対するタッチ操作を受付けたときに、通信部１４を介して、ＵＲＬ及び画像ファイルの削除要求をサーバー装置４に送信したが、本発明はそのような実施形態に限定されない。例えば、制御部１０は、画像ファイルをサーバー装置４の記憶部に記憶させた時点からの経過時間が予め定められている時間に達したときに、ＵＲＬ及び画像ファイルの削除要求をサーバー装置４に送信する構成であってもよい。
【００８８】
この場合、制御部１０は、タッチパネル１２に対して入力されるユーザーの指示にしたがって、上記予め定められている時間を、画像ファイルの保存期間として予め設定しておく。制御部１０はまた、自身が備えているタイムカウンタ機能によって、例えば、画像ファイルをサーバー装置４に送信した時点からの経過時間、又は、ＵＲＬを受信した時点からの経過時間を、上記画像ファイルをサーバー装置４の記憶部に記憶させた時点からの経過時間として計測する。
【００８９】
また、制御部１０は、画像形成部３２等による画像形成の回数が、予め定められている回数に達したときに、ＵＲＬ及び画像ファイルの削除要求をサーバー装置４に送信する構成であってもよい。この場合、制御部１０は、タッチパネル１２に対して入力されるユーザーの指示にしたがって、上記予め定められている回数を、画像ファイルの削除条件として予め設定しておく。制御部１０はまた、例えば、画像形成部３２等による画像形成が実行される毎に、通信部１４を介して、画像形成の実行が行なわれたことを示す情報を画像形成装置３から受信し、受信された情報に基づいて画像形成の回数を算出する。
【００９０】
また上記実施形態では、記憶部１３は、電子ファイルとして画像ファイルを記憶していたが、本発明はそのような実施形態に限定されない。例えば、記憶部１３は、電子ファイルとして文書ファイルを記憶していてもよい。文書ファイルは、特に限定されないが、例えば、ＰＤＦ(Portable Document Format)形式等の一般的な文書ファイルである。
【００９１】
また上記実施形態では、制御部１０は、サムネイル画像生成プログラムを用いてサムネイル画像６２Ａ乃至６２Ｄを生成したが、本発明はそのような実施形態に限定されない。例えば、制御部１０は、サムネイル画像６２Ａ乃至６２Ｄを生成することなく、記憶部１３から読出してもよい。この場合、サムネイル画像６２Ａ乃至６２Ｄのそれぞれは、画像ファイルのそれぞれに関連付けられて、記憶部１３に予め記憶されている。
【００９２】
また上記実施形態では、ユーザーは、第２画面６０のサムネイル画像６２Ｃのみをタッチしたが、本発明はそのような実施形態に限定されない。例えば、ユーザーは、サムネイル画像６２Ａ乃至６２Ｄのうちの二つ以上のサムネイル画像をタッチしてもよい。この場合、制御部１０は、ステップＳ１４において、タッチされた二つ以上のサムネイル画像に対応する画像ファイルを、登録対象の画像ファイルとして指定するための指示を受付ける。
【００９３】
また上記実施形態では、コードの一例として二次元コードが用いられたが、本発明はそのような実施形態に限定されない。コードとしては、画像ファイルのＵＲＬ及び第１認証情報を示すものであれば特に限定されず、例えば、バーコード等の一次元コードであってもよい。
【００９４】
また上記実施形態では、画像形成部３２等は、記録紙に画像を形成したが、本発明はそのような実施形態に限定されない。画像形成部３２等は、記録紙に限らず、例えば、ＯＨＰ（Overhead Projector）シート等の他の記録媒体に画像を形成してもよい。
【００９５】
また上記実施形態では、二次元コードの読取りを行なうために画像読取部３１が用いられたが、本発明はそのような実施形態に限定されない。例えば、画像形成装置３が、被写体を撮像して、撮像された画像を示す画像データを取得するデジタルカメラ等からなる撮像部を備えており、当該撮像部が、二次元コードの読取りを行なうための画像読取部として用いられてもよい。
【００９６】
また上記実施形態では、制御部１０は、登録対象の画像ファイルの送信後にサーバー装置４からＵＲＬを取得したが、本発明はそのような実施の形態に限定されない。例えば、制御部１０は、登録対象の画像ファイルの送信前に上記ＵＲＬを予め取得しておいてもよい。
【００９７】
なお、本発明は上記実施形態の構成に限られず種々の変形が可能である。例えば、上記実施形態では、画像形成装置としてカラー複合機を用いているが、これは一例に過ぎず、モノクロ複合機、コピー機、又はファクシミリ装置等の他の画像形成装置が用いられてもよい。
【００９８】
また、図１乃至図１２を用いて示した上記実施形態の構成及び処理は、本発明の一実施形態に過ぎず、本発明を当該構成及び処理に限定する趣旨ではない。
【符号の説明】
【００９９】
１  画像形成システム
２  携帯端末装置
３  画像形成装置
１０，３０  制御部
１１  表示部
１２  タッチパネル
１３  記憶部
１４，４２  通信部
２０，４０  制御ユニット
３１  画像読取部
３２  画像形成部
３６  操作部
【図１】
2020198530.tif 000003
【図２】
2020198530.tif 000004
【図３】
2020198530.tif 000005
【図４】
2020198530.tif 000006
【図５】
2020198530.tif 000007
【図６】
2020198530.tif 000008
【図７】
2020198530.tif 000009
【図８】
2020198530.tif 000010
【図９】
2020198530.tif 000011
【図１０】
2020198530.tif 000012
【図１１】
2020198530.tif 000013
【図１２】
2020198530.tif 000014